(57)【要約】【課題】耐久性のある安定したロ−タ制動性能と軽いベ−ル復帰操作が得られる魚釣用スピニングリ−ルを提供することである。【解決手段】リ−ル本体１の前部の筒部１ａに周方向の溝からなる装着部１ｃが形成されて装着部１ｃの一端には鈎状の切欠きからなる固定部１ｄが形成されると共に切欠き面にネジ孔が形成されてビス１５が螺合され、装着部１ｃの他端には鈎孔からなる掛止部１ｅが形成されている。装着部１ｃにはゴム製の制動部材６が嵌められ、制動部材６は略Ｃ字状に形成された制動部６ａと一端の固定部６ｂと他端の掛止部６ｃで形成されている。ベ−ル支持部材７、８が釣糸放出位置に反転されると、ベ−ル支持部材８内の移動部材９の端部９ｃは制動部材６の制動部６ａに当接される。【選択図】        図９
2004344076.tif 000002
【特許請求の範囲】
【請求項１】
ハンドル操作に連動回転するロ−タの支持ア−ムの前部に、ベ−ル及び釣糸案内部を有する支持部材を釣糸巻取位置と釣糸放出位置とに反転可能に振り分け保持され、前記支持部材の釣糸巻取位置から釣糸放出位置への反転操作に連動して移動する移動部材の端部をリ−ル本体の前部に設けたゴム製制動部材に接触可能とした魚釣用スピニングリ−ルにおいて、前記制動部材を略Ｃ字状に形成して前記リ−ル本体の前部に形成した装着部に取り付け固定したことを特徴とする魚釣用スピニングリ−ル。
【請求項２】
前記制動部材の端部を弾性力に抗して前記装着部の掛止部に掛止して張設した請求項１記載の魚釣用スピニングリ−ル。
【発明の詳細な説明】
【０００１】
【発明の属する技術分野】
本発明は、ハンドルに連動回転するロ−タに、ベ−ル及び釣糸案内部を有する支持部材を釣糸巻取状態と釣糸放出状態に反転自在に支持してなる魚釣用スピニングリ−ルの改良に関する。
【０００２】
【従来の技術】
ベ−ルを釣糸巻取状態から釣糸放出状態に起こした状態より釣竿を勢い良く振り下ろして仕掛けを放出操作する際の勢いや不要なハンドル回転等の影響により、ロ−タ支持ア−ムの前部に釣糸放出位置に保持されている支持部材がロ−タの不要な回転によって釣糸巻取位置に誤復帰してしまい、釣糸が仕掛けと共に切断してしまうトラブルが生じてしまう。
そこで、このような釣糸放出操作時のロ−タの不要な回転によって生じる誤復帰を防止する方法として、ベ−ルの開放操作に連動する移動部材をリ−ル本体前部の弾性制動部材に接触させてロ−タの不要な回転を制動するものが知られている。（例えば、特許文献１参照）
【０００３】
【特許文献１】
特開２００１−２９９１６２号公報
【０００４】
【発明が解決しようとする課題】
解決しようとする問題点は、
上記特許文献１は、ベ−ルの開放操作に連動する移動部材が接触する環状のゴム製制動部材を、リ−ル本体前部の筒部外周に巻着固定する構成としているので以下の課題が残されている。
（１）リング状のゴム製制動部材を、弾性力に抗して拡開変形させてリ−ル本体前部の筒部外周に巻着固定保持するために、
▲１▼作業性が悪いと共に、リング状ゴム製制動部材の取り扱い時又は巻着時に捩れ易くて巻着固定状態が安定せず、ベ−ル開放操作時の安定したロ−タ制動性能が得られ難い。
▲２▼又、巻着作業性を考慮した場合に伸縮性の少ない強弾性特性のものや厚みや幅の大きい形状の制動部材の選択使用に制約が生じてしまい、耐久性のある安定したロ−タ制動性能が得られ難い。
【０００５】
（２）反転復帰用カム部領域を除く部分が、ベ−ルの開放操作に連動して移動する移動部材との接触制動領域となるため、釣糸放出操作後のロ−タ回転による釣糸巻取り状態へのベ−ル復帰操作が重く、円滑性に劣る。
ことである。
【０００６】
本発明の目的は前記欠点に鑑み、耐久性のある安定したロ−タ制動性能と軽いベ−ル復帰操作が得られる魚釣用スピニングリ−ルを提供することである。
【０００７】
【課題を解決するための手段】
上記課題を解決するために、
請求項１に係わる本発明は、ハンドル操作に連動回転するロ−タの支持ア−ムの前部に、ベ−ル及び釣糸案内部を有する支持部材を釣糸巻取位置と釣糸放出位置とに反転可能に振り分け保持され、前記支持部材の釣糸巻取位置から釣糸放出位置への反転操作に連動して移動する移動部材の端部をリ−ル本体の前部に設けたゴム製制動部材に接触可能とした魚釣用スピニングリ−ルにおいて、前記制動部材を略Ｃ字状に形成して前記リ−ル本体の前部に形成した装着部に取り付け固定したことを要旨とするものである。
請求項２に係わる本発明は、前記制動部材の端部を弾性力に抗して前記装着部の掛止部に掛止して張設したことを要旨とするものである。
【０００８】
【発明の実施の形態】
請求項１の本発明により、リ−ル本体１の前部の筒部１ａに形成された装着部１ｃにゴム製の制動部材６を取り付けるに際し、環状ではなく略Ｃ字状の部分形状であるため、不要な捩れを生じることなく容易に取り付けられてロ−タ制動性能が安定すると共に作業性も良い。
又、形状や弾性特性の制約が少なくリ−ル本体１の装着部１ｃへの取り付けが可能となるので、設計の自由度が増すと共に、耐久性のある制動部材６、６′の選択範囲が広がる。
又、ロ−タ４の制動範囲を必要範囲に設定できるので、ロ−タ４を回転させての釣糸放出状態から釣糸巻取状態への反転復帰操作を、不要な制動の影響を受けることなく円滑に行える。
請求項２の本発明により、一端を掛止した制動部材６の他端を伸ばしてリ−ル本体１の装着部１ｃの端の掛止部１ｅ、２１、２２に掛止することで取り付けられるので、作業性も良い。
【０００９】
【実施例】
以下、図示の実施例によって本発明を説明すると、図１から図９は第１実施例で、図１は魚釣用スピニングリ−ルの要部断面側面図、図２は図１の要部拡大断面側面図、図３は一方の支持部材が上側で釣糸巻取位置の平面図、図４は他方の支持部材が上側で釣糸巻取位置の平面図、図５は一方の支持部材が上側で釣糸放出位置の平面図、図６は他方の支持部材が上側で釣糸放出位置の平面図、図７は支持部材が釣糸放出位置の魚釣用スピニングリ−ルの正面図、図８はロ−タが図７の位置のリ−ル本体の要部断面正面図、図９は図８の要部拡大正面図である。
【００１０】
魚釣用スピニングリ−ルは、リ−ル本体１と蓋板２で保持された図示しない軸受で駆動歯車１０の駆動軸が軸承されてハンドル１１で駆動回転される。
リ−ル本体１の前部の円形の筒部１ａ内の軸受１２で回転軸筒３の前側が回転自在に支持され、リ−ル本体１内の図示しない軸受部に回転軸筒３の基端が嵌合支持され、基端の前側に一体的にピニオンが形成されて駆動歯車１０に噛合されている。
回転軸筒３の前端にロ−タ４の中心筒部４ａが回り止め嵌合されてナット１３で取り付けられている。
回転軸筒３の中心透孔には前側にスプ−ル５が取り付けられたスプ−ル軸１４が前後往復動可能に摺動自在に挿入されている。
【００１１】
リ−ル本体１と蓋板２の前側には合体して円板となる鍔部１ｂ、２ａが形成されている。
鍔部２ａの前面には傾斜面ａを有する復帰用カム２ｃが形成されている。
筒部１ａの鍔部１ｂ側基部に周方向の溝からなる装着部１ｃが形成され、装着部１ｃの一端には鈎状の切欠きからなる固定部１ｄが形成されると共に切欠き面にネジ孔が形成されてビス１５が螺合される。
溝からなる装着部１ｃの他端の蓋板２側には、鈎孔からなる掛止部１ｅが形成されている。
鈎孔からなる掛止部１ｅに対向する蓋板２の鍔部２ａの前側には、掛止部１ｅの一部を塞ぐ突片２ｅが形成されている。
【００１２】
周方向の溝からなる装着部１ｃにはゴム製の制動部材６が嵌められる。
ゴム製の制動部材６は略Ｃ字状に形成された制動部６ａと一端のＬ字状の固定部６ｂと他端の掛止部６ｃで形成されている。
固定部６ｂにはビス１５の挿入孔が形成されている。
略Ｃ字状に形成されたゴム製の制動部材６の制動部６ａが装着部１ｃに嵌められて一端の固定部６ｂがビス１５で固定部１ｄに取り付け固定されると共に他端の掛止部６ｃの突片６ｃ′が掛止部１ｅに掛け止めされ、そして、蓋板２がリ−ル本体１に取り付けられていると蓋板２の突片２ｅで制動部材６の突片６ｃ′を係止して抜け止めされる。
図８で制動部材６が装着固定された領域αを制動範囲、領域βを非制動範囲、領域γをベ−ル復帰範囲とする。
【００１３】
ロ−タ４は中心筒部４ａで回転軸筒３に取り付けられ、筒部４ａと前壁４ｂと大径の筒部４ｃと大径の筒部４ｃの基部の外周から前方に向けて突出された一対の支持ア−ム４ｄ、４ｅとで形成されて支持ア−ム４ｄの前部に一方のベ−ル支持部材７がビス１６で止められ、支持ア−ム４ｅの前部に他方のベ−ル支持部材８がビス１７で止められて図３、図４の釣糸巻取位置と図５、図６の釣糸放出位置に反転自在に軸承されている。
一方のベ−ル支持部材７には釣糸案内部１８が取り付けられている。
他方のベ−ル支持部材８と釣糸案内部１８の間にベ−ル１９が取り付けられている。
【００１４】
支持ア−ム４ｄの内部にはト−ションバネ２０が収容されて一端が一方のベ−ル支持部材７の穴に挿入され、他方は支持ア−ム４ｄの底部の穴に挿入されて、ベ−ル支持部材７を釣糸巻取位置と釣糸放出位置に振分け付勢している。
支持ア−ム４ｅの内部には移動部材９が収容されて一端９ａが他方のベ−ル支持部材８の穴に挿入され、他側９ｂは支持ア−ム４ｅの底部の長孔４ｆに挿入されて長孔４ｆからリ−ル本体１の装着部１ｃ側に突出されている。
長孔４ｆから突出された端部９ｃは移動部材９が支持ア−ム４ｅの中を後退（釣糸放出位置）された時、復帰用カム２ｃと制動部材６の制動部６ａに臨まされている。
【００１５】
スプ−ル５は前側鍔部５ａと図示しない釣糸が巻回される釣糸巻回胴部５ｂと円筒部５ｃを備えた後側鍔部５ｄとで形成されている。
【００１６】
前記魚釣用スピニングリ−ルの動作は、釣糸がスプ−ル５に巻回される方向にハンドル１１が回転されると、駆動歯車２が回転されて図示しないピニオンを介して回転軸筒３とロ−タ４が正回転される。
釣糸がスプ−ル５に巻回される時は、一方のベ−ル支持部材７に設けられた釣糸案内部１８のロ−ラで釣糸が案内されて前後に往復動されるスプ−ル５に平行に巻回される。
【００１７】
仕掛が投擲されるときは、図５で示されるようにベ−ル１９が時計方向に起こされて一方のベ−ル支持部材７と他方のベ−ル支持部材８が釣糸放出位置に反転される。
一方のベ−ル支持部材７と他方のベ−ル支持部材８が釣糸放出位置に反転されると共に釣糸案内部１８が図７のようにリ−ル本体１の脚部Ｋ側の上方に引き上げられると、他方のベ−ル支持部材８は脚部Ｋと反対側の制動範囲の領域αに配置されるので、移動部材９が支持ア−ム４ｅの中を後退されて図１、図２の２点鎖線のように端部９ｃは図１、図２、図８、図９のように制動部材６の制動部６ａに当接される。
一方のベ−ル支持部材７と他方のベ−ル支持部材８が釣糸放出位置から釣糸巻取位置に反転される時は、ハンドル１１が回転されてロ−タ４が図８、図９で時計方向に正回転されると、移動部材９の端部９ｃが制動部材６の制動部６ａを摺接移動しながら復帰用カム２ｃに衝接されて移動部材９が支持ア−ム４ｅの中をスプ−ル５側に前進されて一方のベ−ル支持部材７と他方のベ−ル支持部材８が釣糸巻取位置に反転復帰される。
【００１８】
図１、図２、図８、図９のように移動部材９の端部９ｃが制動部材６の制動部６ａに当接されていると、釣竿を勢い良く振り下ろして仕掛けを放出操作する際の勢いや不要なハンドル回転等の影響により、ロ−タ４が回転することが防止されてロ−タ４の不要な回転によって釣糸巻取位置に誤復帰してしまうことがない。
【００１９】
前記のように魚釣用スピニングリ−ルが構成されると、リ−ル本体１の前部の筒部１ａに形成された装着部１ｃにゴム製の制動部材６を取り付けるに際し、環状ではなく略Ｃ字状の部分形状であるため、不要な捩れを生じることなく容易に取り付けられてロ−タ制動性能が安定すると共に作業性も良い。
又、形状や弾性特性の制約が少なくリ−ル本体１の装着部１ｃへの取り付けが可能となるので、設計の自由度が増すと共に、耐久性のある制動部材６の選択範囲が広がる。
又、ロ−タ４の制動範囲を必要範囲に設定できるので、ロ−タ４を回転させての釣糸放出状態から釣糸巻取状態への反転復帰操作を、不要な制動の影響を受けることなく円滑に行える。
又、一端を掛止した制動部材６の他端を伸ばしてリ−ル本体１の装着部１ｃの端の掛止部１ｅに掛止して張設することで取り付けられるので、作業性も良い。
【００２０】
図１０は第２実施例で、図１０はロ−タの支持部材が釣糸放出位置に反転されて移動部材が制動範囲の領域に移動されたリ−ル本体の要部断面正面図である。
【００２１】
第２実施例では、リ−ル本体１の筒部１ａに周方向の溝からなる装着部１ｃが形成され、装着部１ｃの一端には鈎状の切欠きからなる固定部１ｄが形成されると共に切欠き面にネジ孔が形成されてビス１５が螺合される。
装着部１ｃの他端には筒部１ａの端面１ｆにピンからなる掛止部２１が形成されている。
装着部１ｃにゴム製の制動部材６が嵌められ、制動部材６は略Ｃ字状に形成された制動部６ａと一端のＬ字状の固定部６ｂと他端の折曲された掛止部６ｄで形成されている。
固定部６ｂにはビス１５の挿入孔が形成され、掛止部６ｄにはピンからなる掛止部２１の挿入孔が形成されている。
他の構成は前記第１実施例と略同一である。
【００２２】
図１１は第３実施例で、図１１はロ−タの支持部材が釣糸放出位置に反転されて移動部材が制動範囲の領域に移動されたリ−ル本体の要部断面正面図である。
【００２３】
第３実施例では、リ−ル本体１の筒部１ａに周方向の溝からなる装着部１ｃが形成され、装着部１ｃの一端にはネジ孔が形成されて固定部とし、ネジ孔にビス１５が螺合される。
装着部１ｃの他端には筒部１ａの端面１ｆにピンからなる掛止部２１が形成されている。
装着部１ｃにゴム製の制動部材６が嵌められ、制動部材６は略Ｃ字状に形成された制動部６ａと一端に段部で薄肉の固定部６ｅと他端の折曲された掛止部６ｄで形成されている。
固定部６ｅにはビス１５の挿入孔が形成され、掛止部６ｄにはピンからなる掛止部２１の挿入孔が形成されている。
他の構成は前記第１実施例と略同一である。
【００２４】
図１２は第４実施例で、図１２はロ−タの支持部材が釣糸放出位置に反転されて移動部材が制動範囲の領域に移動されたリ−ル本体の要部断面正面図である。
【００２５】
第４実施例では、リ−ル本体１の筒部１ａに周方向の溝からなる装着部１ｃが形成され、装着部１ｃの一端にはネジ孔が形成されて固定部とし、ネジ孔にビス１５が螺合される。
装着部１ｃの他端には筒部１ａに鈎形からなる掛止部２２が形成されている。装着部１ｃにゴム製の制動部材６が嵌められ、制動部材６は略Ｃ字状に形成された制動部６ａと一端に段部で薄肉の固定部６ｅと他端に段部で薄肉の掛止部６ｆで形成されている。
固定部６ｅにはビス１５の挿入孔が形成され、掛止部６ｆには鈎形からなる掛止部２２の挿入孔が形成されている。
他の構成は前記第１実施例と略同一である。
【００２６】
図１３は第５実施例で、図１３はロ−タの支持部材が釣糸放出位置に反転されて移動部材が制動範囲の領域に移動されたリ−ル本体の要部断面正面図である。
【００２７】
第５実施例では、リ−ル本体１の筒部１ａに周方向の溝からなる装着部１ｃが形成され、装着部１ｃの一端には鈎形からなる掛止部２３が形成されている。
装着部１ｃの他端には筒部１ａに鈎形からなる掛止部２２が形成されている。
装着部１ｃにゴム製の制動部材６が嵌められ、制動部材６は略Ｃ字状に形成された制動部６ａと一端に段部で薄肉の固定部６ｅと他端に段部で薄肉の掛止部６ｆで形成されている。
固定部６ｅには鈎形からなる掛止部２３の挿入孔が形成され、掛止部６ｆには鈎形からなる掛止部２２の挿入孔が形成されている。
他の構成は前記第１実施例と略同一である。
【００２８】
図１４は第６実施例で、図１４はロ−タの支持部材が釣糸放出位置に反転されて移動部材が制動範囲の領域に移動されたリ−ル本体の要部断面正面図である。
【００２９】
第６実施例では、リ−ル本体１の筒部１ａに周方向の溝からなる装着部１ｃが形成され、装着部１ｃの一端には鈎状の切欠きからなる固定部１ｄが形成されると共に切欠き面にピン２４が固定されている。
装着部１ｃの他端には筒部１ａの端面１ｆにピンからなる掛止部２１が形成されている。
装着部１ｃにゴム製の制動部材６が嵌められ、制動部材６は略Ｃ字状に形成された制動部６ａと一端の折曲された固定部６ｂと他端の折曲された掛止部６ｄで形成されている。
固定部６ｂにはピン２４の挿入孔が形成され、掛止部６ｄにはピンからなる掛止部２１の挿入孔が形成されている。
他の構成は前記第１実施例と略同一である。
【００３０】
図１５、図１６は第７実施例で、図１５は魚釣用スピニングリ−ルの要部拡大断面側面図、図１６はロ−タの支持部材が釣糸放出位置に反転されて移動部材が制動範囲の領域に移動されたリ−ル本体の要部断面正面図である。
【００３１】
第７実施例では、リ−ル本体１の筒部１ａと周方向の溝からなる装着部１ｃが形成され、装着部１ｃの一端には度当りピン２５が固定され、装着部１ｃの他端には度当りピン２６が固定されている。
装着部１ｃにゴム製のＣ字状に形成された制動部材６′が嵌められると共に制動部材６′の長手方向に溝が形成されて弾性を有する金属線２７が嵌められている。
他の構成は前記第１実施例と略同一である。
【００３２】
前記第７実施例ではゴム製のＣ字状に形成された制動部材６′に長手方向に溝が形成されて弾性を有する金属線２７が嵌められたが、弾性を有する金属板をゴムで包み込んで制動部材としてもよい。
【００３３】
【発明の効果】
本発明は、以上説明したような形態で実施され、以下に記載されるような効果を奏する。
【００３４】
請求項１により、リ−ル本体の前部の筒部に形成された装着部にゴム製の制動部材を取り付けるに際し、環状ではなく略Ｃ字状の部分形状であるため、不要な捩れを生じることなく容易に取り付けられてロ−タ制動性能が安定すると共に作業性も良い。
又、形状や弾性特性の制約が少なくリ−ル本体の装着部への取り付けが可能となるので、設計の自由度が増すと共に、耐久性のある制動部材の選択範囲が広がる。
又、ロ−タの制動範囲を必要範囲に設定できるので、ロ−タを回転させての釣糸放出状態から釣糸巻取状態への反転復帰操作を、不要な制動の影響を受けることなく円滑に行える。
請求項２により、一端を掛止した制動部材の他端を伸ばしてリ−ル本体の装着部の端の掛止部に掛止することで取り付けられるので、作業性も良い。
【図面の簡単な説明】
【図１】第１実施例で、魚釣用スピニングリ−ルの要部断面側面図である。
【図２】同図１の要部拡大断面側面図である。
【図３】同一方の支持部材が上側で釣糸巻取位置の平面図である。
【図４】同他方の支持部材が上側で釣糸巻取位置の平面図である。
【図５】同一方の支持部材が上側で釣糸放出位置の平面図である。
【図６】同他方の支持部材が上側で釣糸放出位置の平面図である。
【図７】同支持部材が釣糸放出位置の魚釣用スピニングリ−ルの正面図である。
【図８】同ロ−タが図７の位置のリ−ル本体の要部断面正面図である。
【図９】同図８の要部拡大正面図である。
【図１０】第２実施例で、ロ−タの支持部材が釣糸放出位置に反転されて移動部材が制動範囲の領域に移動されたリ−ル本体の要部断面正面図である。
【図１１】第３実施例で、ロ−タの支持部材が釣糸放出位置に反転されて移動部材が制動範囲の領域に移動されたリ−ル本体の要部断面正面図である。
【図１２】第４実施例で、ロ−タの支持部材が釣糸放出位置に反転されて移動部材が制動範囲の領域に移動されたリ−ル本体の要部断面正面図である。
【図１３】第５実施例で、ロ−タの支持部材が釣糸放出位置に反転されて移動部材が制動範囲の領域に移動されたリ−ル本体の要部断面正面図である。
【図１４】第６実施例で、ロ−タの支持部材が釣糸放出位置に反転されて移動部材が制動範囲の領域に移動されたリ−ル本体の要部断面正面図である。
【図１５】第７実施例で、魚釣用スピニングリ−ルの要部拡大断面側面図である。
【図１６】同ロ−タの支持部材が釣糸放出位置に反転されて移動部材が制動範囲の領域に移動されたリ−ル本体の要部断面正面図である。
【符号の説明】
１  リ−ル本体
１ｃ  装着部
１ｅ、２１、２２  掛止部
４  ロ−タ
４ｄ、４ｅ  支持ア−ム
６、６′  制動部材
７、８  ベ−ル支持部材
９  移動部材
９ｃ  端部
１１  ハンドル
１８  釣糸案内部
１９  ベ−ル
【図１】
2004344076.tif 000003
【図２】
2004344076.tif 000004
【図３】
2004344076.tif 000005
【図４】
2004344076.tif 000006
【図５】
2004344076.tif 000007
【図６】
2004344076.tif 000008
【図７】
2004344076.tif 000009
【図８】
2004344076.tif 000010
【図９】
2004344076.tif 000011
【図１０】
2004344076.tif 000012
【図１１】
2004344076.tif 000013
【図１２】
2004344076.tif 000014
【図１３】
2004344076.tif 000015
【図１４】
2004344076.tif 000016
【図１５】
2004344076.tif 000017
【図１６】
2004344076.tif 000018